(57)【要約】【課題】  連続洗濯機におけるリント除去技術を改良して、格別の熟練や労力を要せずに、自動的にリントを除去する装置および同方法を提供する。【解決手段】  洗濯液の供給管２に開口２ａを設けるとともに、該開口２ａに沿って案内翼６を固着する。一方、前記供給管２を中心軸として、円筒スクリーン３を回転自在に外嵌し、回転駆動ローラ７ａ，７ｂで回転駆動する。開口２ａから流出した洗濯液は上記円筒スクリーン３の側壁３ａを透過し、リントを濾別されて、回収管５から連続洗濯機へ還流する。前記円筒スクリーン３が回転すると、その側壁３ａの内周面に堆積したリントは、案内翼６で導かれた液流によって剥がし取られ、比重差により下降してリント排出口３ｃかれ自動的に排出される。【選択図】  図１
2006325680.tif 000002
【特許請求の範囲】
【請求項１】
リントを含む洗濯液の中からリントを除去する装置において、
洗濯液の供給管（２）の管壁に開口（２ａ）が設けられ、
該供給管（２）に対して円筒スクリーン（３）が、上記開口（２ａ）を覆って同心に、かつ回転可能に外嵌されるとともに、この円筒スクリーン（３）を回転駆動する手段が設けられており、
かつ、前記供給管の開口（２ａ）付近に案内翼（６）が取り付けられるとともに、
上記案内翼の先端が前記円筒スクリーンの内周面に近接して対向しており、
前記円筒スクリーン（３）を収納するスクリーンケース（４）が設けられていて、このスクリーンケースに対して洗濯液の回収管（５）が接続連通されていることを特徴とする、連続洗濯機のリント除去・自動排出装置。 
【請求項２】
前記供給管の開口（２ａ）は、前記円筒スクリーン（３）の軸心方向に細長い形状をなしていて、
該開口（２ａ）の長さ寸法が、円筒スクリーンの長さ寸法とほぼ等しいことを特徴とする、請求項１に記載した連続洗濯機のリント除去・自動排出装置。
【請求項３】
前記の静止部材である供給管（２）に設けられている開口（２ａ）の方向が、次の範囲内であることを特徴とする、請求項１または請求項２に記載した連続洗濯機のリント除去・自動排出装置。
イ．供給管の横断面上に、該供給管と同心の極座標を想定し、上向き方向の半径を原線として、これを０度とし、
ロ．前記円筒スクリーン（３）の回転方向と反対方向に座標角度をとり、
ハ．前記開口（２ａ）は、０度〜１８０度の間に位置している。  
【請求項４】
前記の供給管（２）に取り付けられている案内翼（６）は静止部材であって、
該案内翼の先端が円筒スクリーンの内周面に対向している箇所が、前記の極座標に関して０度〜１８０度の間であることを特徴とする、請求項３に記載した連続洗濯機のリント除去・自動排出装置。
【請求項５】
前記円筒スクリーン（３）はほぼ円筒状を成し、
その側壁（３ａ）が多孔板、もしくはウエッジワイヤ、またはこれらに類似する部材によって構成されていることを特徴とする、請求項１ないし請求項４の何れかに記載した連続洗濯機のリント除去・自動排出装置。
【請求項６】
前記のほぼ円筒状を成す円筒スクリーン（３）の片方の端面は蓋板（３ｂ）によって形成され、
他方の端面に相当する箇所にリント排出口（３ｃ）が設けられていることを特徴とする、請求項５に記載した連続洗濯機のリント除去・自動排出装置。
【請求項７】
前記の円筒スクリーン（３）が、排出口（３ｃ）を下方ならしめる姿勢に傾斜していることを特徴とする、請求項６に記載した連続洗濯機のリント除去・自動排出装置。
【請求項８】
洗濯液の中からリントを除去する方法において、
供給管（２）によって送られてきた液を、管壁に設けられている開口（２ａ）から流出せしめ、
該供給管（２）に外嵌されている円筒スクリーン（３）内に液を導いて、その円筒スクリーン側壁（３ａ）を透過させることによりリントを濾別し、
前記の供給管（２）を中心軸として上記円筒スクリーン（３）を回転させ、
該円筒スクリーン（３）の内周面に堆積したリントを、供給管（２）に固着した案内翼（６）に導かれた液流によって自動的に剥がし取り、
リントを濾別された清浄な液を洗濯機に還流せしめることを特徴とする、連続洗濯機のリント除去・自動排出方法。
【請求項９】
予め、前記円筒スクリーン（３）を水平でなく傾斜させて配設しておき、案内翼（６）に導かれた液流によって剥がし取ったリントを傾斜の下方に移動させて、円筒スクリーンの斜め下方の端に設けられているリント排出口（３ｃ）から排出することを特徴とする、請求項８に記載した連続洗濯機のリント除去・自動排出方法。
【発明の詳細な説明】
【技術分野】
【０００１】
本発明は、連続洗濯機の洗濯液中に含まれているリントを容易に、かつ自動的に除去する技術に関するものである。
ただし本発明において洗濯液とは、予洗水やすすぎ液を含めて、洗濯に用いられる液体を総称する意である。
【背景技術】
【０００２】
連続洗濯機は一般に、繊維製品である被洗濯物を洗濯液の中で撹拌するので、洗濯作業の進行に伴って、洗濯液中にリント（糸くず）が混入する。
従来、このリントを除去する技術は種々工夫されてきたが、要するにスクリーン（フィルタ）で濾過するものである。
従来技術におけるスクリーンは静止部材であって、リントを含む液が該スクリーンを透過する際、リントを濾別除去されるようになっている。
【０００３】
例えば特開平１０−０３３８８２号公報には、開口部を斜め上方に向けて設置するというリント捕集装置が提案されている。
また、特開平９−２９９６８５号公報には、洗濯物との干渉を避けてフィルタを設置する技術が提案されている。
さらに、特開平７−０８８３０９号公報には、フィルタ布の織りかたを工夫した改良マーキゼット編みが提案されている。
【特許文献１】特開平１０−０３３８８２号公報
【特許文献２】特開平０９−２９９６８５号公報
【特許文献３】特開平０７−０８８３０９号公報
【発明の開示】
【発明が解決しようとする課題】
【０００４】
従来リントの除去については、如何にして効率よくリントを濾別するか種々の工夫が為されているが、洗濯作業の進行に伴い、濾別されたリントがスクリーンに堆積して流通抵抗が増加してゆく。
スクリーンに堆積したリントの除去は専ら手作業に頼っていた。このため多大の時間と労力とを費やしていた。
【０００５】
本発明は以上に述べた事情に鑑みて為されたものであって、その目的とするところは、スクリーン面に堆積したリントを自動的に除去し得る新規な技術を提供するにある。
これにより当然に、洗濯作業の自動化やメンテナンスの省人化に貢献することが期待される。
【課題を解決するための手段】
【０００６】
請求項１に係る発明装置の構成は、（図１参照）リントを含む洗濯液の中からリントを除去する装置において、
洗濯液の供給管２の管壁に開口２ａが設けられて、
該供給管２に対して円筒スクリーン３が、上記開口２ａを覆って同心に、かつ回転可能に外嵌されるとともに、この円筒スクリーン３を回転駆動する手段が設けられており、
かつ、前記供給管の開口２ａ付近に案内翼６が取り付けられるとともに、
上記案内翼の先端が前記円筒スクリーンの内周面に近接して対向しており、
前記円筒スクリーン３を収納するスクリーンケース４が設けられていて、このスクリーンケースに対して洗濯液の回収管５が接続連通されていることを特徴とする。
【０００７】
請求項２に係る発明装置の構成は、前記請求項１の発明装置の構成要件に加えて、（図１参照）
前記供給管の開口２ａが、前記円筒スクリーン３の中心線方向に細長い形状をなしていて、該開口２ａの長さ寸法が、円筒スクリーン３の長さ寸法とほぼ等しく設定されていることを特徴とする。
【０００８】
請求項３に係る発明装置の構成は、前記請求項１または請求項２の発明装置の構成要件に加えて、（図２参照）前記の静止部材である供給管２に設けられている開口２ａの方向について、  
イ．供給管の横断面上に、該供給管と同心の極座標を想定し、上向き方向の半径を原線として、これを０度とし、
ロ．前記円筒スクリーン３の回転方向（矢印ａ）と反対方向（矢印ｂ）に座標角度をとり（０度，９０度，１８０度，および２７０度を図示してある）、
ハ．前記開口２ａが、０度〜１８０度の間に位置していることを特徴とする。  
ただし、開口２ａが上記の角度範囲内の何れかに位置していれば足り、この角度範囲全部をカバーしていることを要しない。
【０００９】
請求項４に係る発明装置の構成は、前記請求項３の発明装置の構成要件に加えて、（図２参照）前記の供給管２に取り付けられている案内翼６は静止部材であって、
該案内翼の先端が円筒スクリーンの内周面に対向している箇所が、前記の極座標に関して０度〜１８０度の間であることを特徴とする
【００１０】
請求項５に係る発明装置の構成は、前記請求項１ないし請求項４の発明装置の構成要件に加えて、（図１参照）前記円筒スクリーン（３）はほぼ円筒状を成し、
その側壁３ａが多孔板、もしくはウエッジワイヤ、またはこれらに類似する部材によって構成されていることを特徴とする
【００１１】
請求項６に係る発明装置の構成は、前記請求項５の発明装置の構成要件に加えて、（図１参照）
前記のほぼ円筒状を成す円筒スクリーン３の片方（図１において向こう側）の端面は蓋板３ｂによって形成され、
他方の端面（図１において手前側）に相当する箇所に、リント排出口３ｃが設けられていることを特徴とする。
【００１２】
請求項７に係る発明装置の構成は、前記請求項６の発明装置の構成要件に加えて、（図１参照）
前記の円筒スクリーン３が、排出口３ｃを下方ならしめる姿勢に傾斜していることを特徴とする。
【００１３】
請求項８に係る発明方法の構成は、（図１参照）洗濯液の中からリントを除去する方法において、         
供給管２によって送られて来た液を、管壁に設けられている開口２ａから流出せしめ、
該供給管２に外嵌されている円筒スクリーン３内に液を導いて、その筒壁を透過させることによりリントを濾別し、
前記の供給管２を中心軸として上記円筒スクリーン３を回転させ、
該円筒スクリーン３の内周面に堆積したリントを、供給管２に固着した案内翼６で導かれた液流によって自動的に剥がし取り、
リントを濾別された清浄な液を洗濯機に還流せしめることを特徴とする。
【００１４】
請求項９に係る発明方法の構成は、前記請求項８の発明装置の構成要件に加えて、（図１参照）
予め、前記円筒スクリーン３を水平でなく傾斜させて配設しておき、案内翼６で導かれた液流によって剥がし取ったリントを傾斜の下方に移動させて、円筒スクリーンの斜め下方の端に設けられているリント排出口３ｃっから排出することを特徴とする。
【発明の効果】
【００１５】
請求項１の発明装置を適用すると、円筒スクリーンが軸心周り回転し、かつ、該円筒スクリーンの内周面に近接対向して案内翼が設けられているので、円筒スクリーンが回転すると「円筒スクリーンの内周面に堆積していたリント」が「案内翼６で導かれた液流」によって自動的に剥がし落とされる。  
このため、時間と労力とを要しないでリントが除去される。
このような効果を奏し得たのは、『回転式の円筒スクリーン、および、該円筒スクリーンに液流を導く案内翼』という新規な構成を創作したからである。
【００１６】
請求項２の発明装置を前記請求項１の発明装置に併せて実施すると、円筒状スクリーンのフィルタ面である内周面に対して、リントを含む洗濯液が均一に、かつ有効に吹き付けられる。
ここに、前記円筒スクリーンは軸心周りに回転する。このため、円周方向に関しては回転効果によって「洗濯液の均一な吹き付け作用」が得られる。従って、本請求項２において着目したのは円筒スクリーンの長さ方向の均一かつ有効なな吹き付けである。
本請求項２の構成に係る「スクリーン３の中心線方向に細長く、円筒スクリーンとほぼ等しい長さの開口」は、円筒スクリーンの長さ方向の均一かつ有効なな吹き付けを可能ならしめた。
【００１７】
請求項３の発明装置を前記請求項１または請求項２の発明装置に併せて実施すると、
洗濯液中のリントが効率よく除去され、円筒スクリーンのフィルタ面が常にほぼ清浄に保たれる（これは、流体力学的解析によるものではないが、実験的事実に基づく）。このため、円筒スクリーンにおける洗濯液の圧力降下が少ない。   
【００１８】
請求項４の発明装置を前記請求項３の発明装置に併せて実施すると、円筒スクリーンのフィルタ面に濾別されたリントが、案内翼に導かれた液流によって効率よく剥がし取られる。この効果は、前記請求項３の構成に係る開口構造との組み合わせにおいて充分に発揮される。
【００１９】
請求項５の発明装置を前記請求項１ないし請求項４の何れかの発明装置に併せて実施すると、洗濯液中のリントが円滑，高効率で濾別除去される。
単なる多孔板やウエッジワイヤは公知の部材であるが、本発明に係る回転式円筒スクリーンに適用することによって、リントの自動的除去という特有の効果を助長することができる。
【００２０】
請求項６の発明装置を前記請求項５の発明装置に併せて実施すると、案内翼に導かれた液流によって剥がし取られたリントをリント排出口に集積せしめてリント玉となし、洗濯作業中はリントに関する不具合を無くし、洗濯作業終了後におけるメンテイナンスを容易ならしめる。 
【００２１】
請求項７の発明装置を前記請求項６の発明装置併せて実施すると、案内翼に導かれた液流で剥がし取られたリントがリント玉となり、比重差で降下して、自動的にリント排出口から排出される。
リント排出口からスクリーンケース４内に排出されたリントは、洗濯液の循環流動経路から除外され、連続洗濯機の運転に支障を及ぼさない。
【００２２】
請求項８の発明方法を適用すると、洗濯液に含まれているリントが円筒スクリーンによって濾別され、
かつ、該円筒スクリーンを回転させることにより、堆積したリントを案内翼に導かれた液流で剥がし取ることができる。
いま仮に、静止部材であるスクリーンに堆積したリントを、可動部材である剥がし取り具によって除去しようとすると、該剥がし取り具の駆動機構が複雑になって、装置全体の大型化、高コスト化を避け難い。
本発明は、リント自動剥がし取り用の部材（案内翼）を静止させておいて円筒スクリーンを回転させるという新規な構成を創作して、リント除去を容易に行ない得るようにした。
本発明以前においても、円筒スクリーンの外周面にリント掻き取り具を接触させながら該円筒スクリーンを回転させる構造のフィルタ装置は公知であったが、円筒スクリーンの内周面に液流を導いてリントを剥がし取りつつ、該円筒スクリーンを回転させる構造のフィルタ装置は無かった。ここに、本発明の基本的な新規性が有る。
【００２３】
請求項９の発明方法を前記請求項８の発明方法に併せて実施すると、案内翼に導かれた液流で剥がし取られたリントが自動的にリント排出口から排出され、連続洗濯機の運転に何らの支障を及ぼさなくなる。
【発明を実施するための最良の形態】
【００２４】
図１は本発明に係るリント除去装置の１実施形態を示し、１部を破断して描いた模式的な外観斜視図である。ただし、模式化してあるので、写実的な投影図ではない。
リントを含んだ洗濯液は、供給管２によって送られてくる。
送られてきた洗濯液は開口２ａから流出する。ただし、適性な開口面積を有していて、吹き出し流速は制御されている。  
上記の開口２ａを覆って、円筒スクリーン３が外嵌されている。前記の開口２ａは、該円筒スクリーン３内において、ほぼ全長に亙って穿たれ、円筒スクリーン３の内周面に対して、長さ方向の流量分布を均一ならしめている。
【００２５】
本例の円筒スクリーン３は、前記の供給管２を中心軸として、回転自在に支持されていて、回転駆動ローラ７ａ、同７ｂによって回転駆動されている（回転方向については、図２を参照して後に詳しく説明する）。
上記の円筒スクリーン３は、円筒状の側壁３ａと、その両端に位置する蓋板３ｂ、及びリント排出口３ｃとを備えている。
【００２６】
前述の回転部材である円筒スクリーン３と回転駆動ローラ７ａ，７ｂとを取り囲んで、スクリーンケース４が設けられている。
このスクリーンケース４の中で、前記の開口２ａから洗濯液が流出するので、該スクリーンケース４は水密に構成されている。図示を省略してあるが、このスクリーンケースにはメンテイナンス用の覗き窓が設けられている。
前記の供給管２は、このスクリーンケース４を貫通しているが、双方の部材は回転しないので、水密構造とすることに別段の困難は無い。
【００２７】
前記円筒スクリーン３の側壁３ａは、多孔板もしくはウエッジワイヤ、または、これらに類似するフィルタ材で構成されている。
前記の開口２ａから流出した洗濯液は側壁３ａを透過してスクリーンケース４内に入り、回収管５から洗濯槽（図外）へ還流する。
洗濯液が側壁３ａを透過する際、含まれていたリントは濾別されて、円筒スクリーン３の側壁３ａに付着し、リントを除去された清浄な洗濯液が還流してゆく。
【００２８】
前記供給管２に、案内翼６が固着されている。この案内翼は、前記の開口２ａに沿って配置されていて、スクリーンケース４の内部に位置している。
該案内翼６の先端部は円筒スクリーンの側壁３ａに近接して対向している。
円筒スクリーンの側壁３ａで濾別されたリントは、該側壁３ａの内周面に付着する。
前記の開口２ａから流出した洗濯液は、案内翼６に導かれて円筒スクリーンの側壁３ａに吹き付けられ、該側壁に付着しているリントを剥がし取る。
この円筒スクリーン３が回転するので、側壁３ａに付着したリントは円周方向に均等に除去され、剥がしムラを生じない。  
【００２９】
前記円筒スクリーン３の中心線が水平ではなく、リント排出口３ｃが下がる方向に傾斜している。
このため、案内翼６に導かれた液流で剥がし取られたリントは比重差によって下降し、リント玉１０となってリント排出口部３ｃから排出される。
リント排出口部３ｃからスクリーンケース４内に排出されたリント（リント玉１０）は洗濯操作に別段の影響を及ぼさないので、そのまま洗濯作業を続行することができる。
スクリーンケース４内に溜まったリント玉１０は、定期点検整備の際に、スクリーンケース４の覗き窓を開いて取り捨てればよい。
フィルタ面に堆積しているリントを清掃除去する作業は熟練と労力とを要するが、スクリーンケース４内に溜まったリント（リント玉１０）は別段の熟練を要せず、迅速，容易に取り捨てることができる。
【００３０】
図２（Ａ）は、前掲の図１に示した供給管２および円筒スクリーン３の横断面図である。上記の供給管２と円筒スクリーン３とは同心に配置されている。点Ｏは中心点である。
上記の点Ｏを原点とする極座標を想定する。
原点Ｏを通る仮想の垂直面による断面をＯ−０°とし、これを極座標の原線とする。この線は、中心点Ｏから上方に向かう半径である。
【００３１】
本例においては、円筒スクリーンの側壁３ａが矢印ａのように反時計方向に回転している。矢印ｂは回転の反対方向である。
上記の矢印ｂ方向に極座標の角度をとる。すなわち、図示のように０度−９０度−１８０度−２７０度…と回って原線（０度）に帰る。
図１を参照して先に述べた開口２ａは、極座標の角度範囲０度〜１８０度の間に位置している。
円筒スクリーン３の回転方向が反転して、反時計方向である場合は、極座標角度が反転する。反転した極座標角度について、やはり角度範囲０度〜１８０度の間に位置せしめて開口２ａを設ける。
【００３２】
本例の案内翼６は、本図２（Ａ）に実戦で描かれたように、側壁３ａに向けて凸なる形状に反っていて、その回転半径はＲである。これと異なる実施形態として、符号８を付して示したストレート案内翼（仮想線で描く）を設けてもよい。
これらの案内翼６またはストレート案内翼８を配設する箇所は、前述の極座標について角度範囲０度〜１８０度が望ましい。
この案内翼の役目は、洗濯液を導いてリントを剥がし取ることとである。こうした目的を果たすよう、案内翼の先端は側壁３ａに接近させる。しかし、摩擦抵抗を生じないように、接触させないことが望ましい。
【００３３】
図２（Ｂ）は上記と異なる実施形態を示す。本例は、円筒スクリーンの側壁３ａに向けて凹なる形に湾曲した逆反り形案内翼９が設けられている。その配設箇所は前例（図２（Ａ））と同様である。
【図面の簡単な説明】
【００３４】
【図１】本発明装置の１実施形態を示し、部分的に破断して模式的に描いた外観斜視図
【図２】（Ａ）に実線で描いたのは前掲の図１の実施形態に係る供給管と円筒スクリーンと案内翼とを模式的に描いた横断面に極座標を付記した図、（Ｂ）は上記と異なる実施形態の横断面に極座標を付記した図
【符号の説明】
【００３５】
２…供給管
２ａ…開口
３…円筒スクリーン
３ａ…側壁
３ｂ…蓋板
３ｃ…リント排出口
４…スクリーンケース
５…回収管 
６…案内翼 
７ａ，７ｂ…回転駆動ローラ 
８…ストレート案内翼 
９…逆反り形案内翼 
【図１】
2006325680.tif 000003
【図２】
2006325680.tif 000004